【手続補正書】
【提出日】平成26年2月14日(2014.2.14)
【手続補正１】
【補正対象書類名】特許請求の範囲
【補正対象項目名】全文
【補正方法】変更
【補正の内容】
【特許請求の範囲】
【請求項１】
ユーザ結合リングを負荷支持用のケーブルに連結するための連結アセンブリを含む訓練用装置であって、
軸線に沿って軸方向に伸び、かつ、対向する末端に位置する第１、第２軸方向端部を有するバレルと、該バレルの前記第２軸方向端部の位置で、前記バレルの回りに配置され、前記ケーブルを、前記バレルに係合して捕捉された関係に保持するために前記バレルに取り付けられる外側カラーと、を含み、
前記第１軸方向端部は、前記ユーザ結合リンクに係合し、前記第２軸方向端部は、トラップ部分を有して前記ケーブルを捕捉された関係に係合し、前記外側カラーは、前記軸線に沿って軸方向に伸び、かつ、対向する末端に位置する第１、第２の軸方向端部を有し、前記外側カラーの第１軸方向端部は、前記バレルに向かって第１軸方向に面する第１軸方向端面を有し、前記バレルの第２軸方向端部は、前記第１軸方向とは反対側の第２軸方向に面する第２軸方向端面を有し、前記第１、第２軸方向端面は、その間に軸方向ギャップによって軸方向に離間しており、前記軸方向ギャップ内の内側カラーは、前記第１軸方向に面しかつ前記第２軸方向端面に面する第３軸方向端面と、前記第２軸方向に面しかつ前記第１軸方向端面に面する第４軸方向端面を有し、前記内側カラーは、前記外側カラーによって周囲を囲まれ、前記内側カラーは、前記ケーブルを取り囲み、前記内側カラーは、軸方向に貫通する開口を有し、かつ、前記ケーブルは、前記内側カラーの前記開口を軸方向に貫通し、前記外側カラーの前記第１軸方向端部は、軸方向に貫通する開口を有し、かつ、前記内側カラーの前記開口に対して軸方向に整合し、前記外側カラーの前記開口の径は、前記内側カラーの前記開口の径よりも大きく、
前記内側カラーは、前記外側カラー内にフランジと、前記外側カラー内の前記開口を通って前記フランジから前記第２軸方向に伸びるスリーブとを有することを特徴とする訓練用装置。
【請求項２】
前記内側カラーは、前記フランジの位置に第１外径と、前記スリーブの位置に第２外径を有し、前記第１外径は、前記外側カラーの前記開口の径よりも大きく、前記第２外径は、前記外側カラーの前記開口の径よりも小さいか、または等しいことを特徴とする請求項１記載の訓練用装置。
【請求項３】
前記内側カラーの前記開口は、前記フランジの位置に第１部分と、前記スリーブの位置に第２部分を有し、前記第１、第２部分は、同軸に配置され、かつ、前記内側カラーは、前記第１部分に第１内径を、前記第２部分に第２内径を有し、前記第１、第２内径は等しいことを特徴とする請求項２記載の訓練用装置。
【請求項４】
前記内側カラーは、前記軸方向に弾性的に圧縮可能であることを特徴とする請求項１記載の訓練用装置。
【請求項５】
ユーザ結合リングを負荷支持用のケーブルに連結するための連結アセンブリを含む訓練用装置であって、
軸線に沿って軸方向に伸び、かつ、対向する末端に位置する第１、第２軸方向端部を有するバレルと、該バレルの前記第２軸方向端部の位置で、前記バレルの回りに配置され、前記ケーブルを、前記バレルに係合して捕捉された関係に保持するために前記バレルに取り付けられる外側カラーと、を含み、
前記第１軸方向端部は、前記ユーザ結合リンクに係合し、前記第２軸方向端部は、トラップ部分を有して前記ケーブルを捕捉された関係に係合し、前記外側カラーは、前記軸線に沿って軸方向に伸び、かつ、対向する末端に位置する第１、第２の軸方向端部を有し、前記外側カラーの第１軸方向端部は、前記バレルに向かって第１軸方向に面する第１軸方向端面を有し、前記バレルの第２軸方向端部は、前記第１軸方向とは反対側の第２軸方向に面する第２軸方向端面を有し、前記第１、第２軸方向端面は、その間に軸方向ギャップによって軸方向に離間しており、前記軸方向ギャップ内の内側カラーは、前記第１軸方向に面しかつ前記第２軸方向端面に面する第３軸方向端面と、前記第２軸方向に面しかつ前記第１軸方向端面に面する第４軸方向端面を有し、前記内側カラーは、前記軸方向に弾性的に圧縮可能であり、
前記内側カラーは、前記外側カラーに取り囲まれ、前記内側カラーは、前記ケーブルを取り囲み、前記内側カラーは、軸方向に貫通する開口を有し、前記ケーブルは、前記開口を通って伸び、かつ、ボールとソケットの捕捉された関係で前記バレルに係合する拡大ボール端部を有し、前記内側カラーは、前記拡大ボール端部の外径に少なくとも同じくらい大きい径に、前記開口の位置で弾性的に半径方向に膨張可能であり、前記バレルから前記外側カラーを離脱させるとき、そして、前記拡大ボール端部から前記バレルを離脱させるとき、前記内側カラーが前記開口の位置において半径方向に弾性的に膨張して、前記拡大ボール端部を軸方向に通過可能となるように、前記内側カラーの前記開口を通って、前記拡大ボール端部を軸方向にスライドさせることによって、前記内側カラーから前記ケーブルを軸方向に引き出すことを特徴とする訓練用装置。
【請求項６】
前記内側カラーの前記開口は、前記拡大ボール端部の径より小さい、弛緩した休止状態の第１の径と、前記拡大ボール端部の径と少なくとも同じくらい大きい弾性的に伸びた第２の径を有することを特徴とする請求項５記載の訓練用装置。
【請求項７】
前記外側カラーの前記第１軸方向端部は、軸方向に貫通する開口を有し、かつ、前記内側カラーの前記開口に軸方向に整合し、前記外側カラーの前記開口の径は、前記拡大ボール端部の径よりも大きいことを特徴とする請求項５記載の訓練用装置。
【請求項８】
訓練用装置において、負荷支持用のケーブルにユーザ結合リンクを連結するための連結アセンブリであって、
軸線に沿って軸方向に伸び、かつ、対向する末端に位置する第１、第２軸方向端部を有するバレルと、該バレルの前記第２軸方向端部の位置で、前記バレルの回りに配置され、前記ケーブルを、前記バレルに係合して捕捉された関係に保持するために前記バレルに取り付けられる外側カラーと、を含み、
前記第１軸方向端部は、前記ユーザ結合リンクに係合し、前記第２軸方向端部は、トラップ部分を有して前記ケーブルを捕捉された関係に係合し、前記外側カラーは、前記軸線に沿って軸方向に伸び、かつ、対向する末端に位置する第１、第２の軸方向端部を有し、前記外側カラーの第１軸方向端部は、前記バレルに向かって第１軸方向に面する第１軸方向端面を有し、前記バレルの第２軸方向端部は、前記第１軸方向とは反対側の第２軸方向に面する第２軸方向端面を有し、前記第１、第２軸方向端面は、その間に軸方向ギャップによって軸方向に離間しており、前記軸方向ギャップ内の内側カラーは、前記第１軸方向に面しかつ前記第２軸方向端面に面する第３軸方向端面と、前記第２軸方向に面しかつ前記第１軸方向端面に面する第４軸方向端面を有し、
前記内側カラーは、前記外側カラーに取り囲まれ、前記内側カラーは、前記ケーブルを取り囲み、前記内側カラーは、軸方向に貫通する開口を有し、前記ケーブルは、前記内側カラーの前記開口を通って軸方向に伸び、前記外側カラーの第１軸方向端部は、軸方向に貫通する開口を有し、かつ、前記内側カラーの前記開口と整合しており、前記外側カラーの前記開口の径は、前記内側カラーの前記開口の径よりも大きく、前記内側カラーは、前記外側カラー内にフランジと、前記外側カラー内の前記開口を通って前記フランジから前記第２軸方向に伸びるスリーブとを有し、前記内側カラーは、前記フランジの位置に第１外径と、前記スリーブの位置に第２外径を有し、前記第１外径は、前記外側カラーの前記開口の径よりも大きく、前記第２外径は、前記外側カラーの前記開口の径よりも小さいか、または等しいことを特徴とする連結アセンブリ。
【請求項９】
前記内側カラーは、軸方向に弾性的に圧縮可能であることを特徴とする請求項８記載の連結アセンブリ。
【請求項１０】
訓練用装置において、負荷支持用のケーブルにユーザ結合リンクを連結するための連結アセンブリであって、
軸線に沿って軸方向に伸び、かつ、対向する末端に位置する第１、第２軸方向端部を有するバレルと、該バレルの前記第２軸方向端部の位置で、前記バレルの回りに配置され、前記ケーブルを、前記バレルに係合して捕捉された関係に保持するために前記バレルに取り付けられる外側カラーと、を含み、
前記第１軸方向端部は、前記ユーザ結合リンクに係合し、前記第２軸方向端部は、トラップ部分を有して前記ケーブルを捕捉された関係に係合し、前記外側カラーは、前記軸線に沿って軸方向に伸び、かつ、対向する末端に位置する第１、第２の軸方向端部を有し、前記外側カラーの第１軸方向端部は、前記バレルに向かって第１軸方向に面する第１軸方向端面を有し、前記バレルの第２軸方向端部は、前記第１軸方向とは反対側の第２軸方向に面する第２軸方向端面を有し、前記第１、第２軸方向端面は、その間に軸方向ギャップによって軸方向に離間しており、前記軸方向ギャップ内の内側カラーは、前記第１軸方向に面しかつ前記第２軸方向端面に面する第３軸方向端面と、前記第２軸方向に面しかつ前記第１軸方向端面に面する第４軸方向端面を有し、前記内側カラーは、前記軸方向に弾性的に圧縮可能であり、
前記内側カラーは、前記外側カラーに取り囲まれ、前記内側カラーは、前記ケーブルを取り囲み、前記内側カラーは、軸方向に貫通する開口を有し、前記ケーブルは、前記開口を通って伸び、かつ、ボールとソケットの捕捉された関係で前記バレルに係合する拡大ボール端部を有し、前記内側カラーは、前記拡大ボール端部の外径に少なくとも同じくらい大きな径に、前記開口の位置で弾性的に半径方向に膨張可能であり、前記バレルから前記外側カラーを離脱させるとき、そして、前記拡大ボール端部から前記バレルを離脱させるとき、前記内側カラーが前記開口の位置において弾性的に半径方向に膨張して、前記拡大ボール端部を軸方向に通過可能となるように、前記内側カラーの前記開口を通って、前記拡大ボール端部を軸方向にスライドさせることによって、前記内側カラーから前記ケーブルを軸方向に引き出し、
前記内側カラーの前記開口は、前記拡大ボール端部の径より小さい、弛緩した休止状態の第１の径と、前記拡大ボール端部の径と少なくとも同じくらい大きい弾性的に伸びた第２の径を有し、
前記外側カラーの前記第１軸方向端部は、軸方向に貫通しかつ前記内側カラーの開口と軸方向に整合する開口を有し、前記外側カラーの前記開口の径は、前記拡大ボール端部の径よりも大きいことを特徴とする連結アセンブリ。
【請求項１１】
負荷支持用のケーブルにユーザ結合リンクを連結するための連結アセンブリを有している訓練用装置において、コンポーネントを交換する方法であって、
前記連結アセンブリは、軸線に沿って軸方向に伸び、かつ、対向する末端に位置する第１、第２軸方向端部を有するバレルと、該バレルの前記第２軸方向端部の位置で、前記バレルの回りに配置され、前記ケーブルを、前記バレルに係合して捕捉された関係に保持するために前記バレルに取り付けられる外側カラーと、を含み、前記第１軸方向端部は、前記ユーザ結合リンクに係合し、前記第２軸方向端部は、トラップ部分を有して前記ケーブルを捕捉された関係に係合し、前記外側カラーは、前記軸線に沿って軸方向に伸び、かつ、対向する末端に位置する第１、第２の軸方向端部を有し、前記外側カラーの第１軸方向端部は、前記バレルに向かって第１軸方向に面する第１軸方向端面を有し、前記バレルの第２軸方向端部は、前記第１軸方向とは反対側の第２軸方向に面する第２軸方向端面を有し、前記第１、第２軸方向端面は、その間に軸方向ギャップによって軸方向に離間しており、
前記方法は、前記軸方向ギャップに内側カラーを設け、
前記内側カラーに、前記第１軸方向に面し、かつ、前記第２軸方向端面に面する第３軸方向端面を備え、
前記内側カラーに、前記第２軸方向に面し、かつ、前記第１軸方向端面に面する第４軸方向端面を備え、
前記内側カラーに、軸方向に貫通する開口を備え、前記ケーブルは、前記開口を通って伸び、かつ、ボールとソケットの捕捉された関係で前記バレルに係合する拡大ボール端部を有し、
前記拡大ボール端部の径と少なくとも同じくらい大きな径に前記開口の位置で半径方向に弾性的に膨張可能である弾性部材としての前記内側カラーを設け、
さらに、前記バレルから前記外側カラーを離脱させ、前記拡大ボール端部から前記バレルを離脱させ、前記内側カラーが前記開口の位置において弾性的に半径方向に膨張して、前記拡大ボール端部を軸方向にスライドさせることによって前記内側カラーの開口を通り、前記ケーブルを前記内側カラーから軸方向に引き出し、前記拡大ボール端部が軸方向に通過できるようにする、各工程を有することを特徴とする方法。
【請求項１２】
前記ケーブル、前記内側カラー、及び前記外側カラーの少なくとも１つを交換する工程を含むことを特徴とする請求項１１記載の方法。